(57)【要約】      （修正有）【課題】珪藻土とチタンアパタイトを備えたコーティング層を具備して屋内における住環境を良くすることを可能にし、専門的な技術を必要とすること無く、容易に均一な膜厚のコーティング層を形成可能とするパネルを提供する。【解決手段】パネル本体２とパネル本体の表面に形成されたコーティング層を具備したパネルであって、コーティング層は、スクリーン印刷によって、珪藻土とチタンアパタイトを備えたコーティング材をパネル本体に塗布することで形成したことを特徴としており、屋内の壁や天井に備えることで、珪藻土の有する機能により、室内の調湿、消臭を行うとともに室内をマイナスイオン優位の空気雰囲気にし、チタンアパタイトの有する機能により、パネルに付着した埃や菌、有害物質を分解除去し、面倒な作業や専門的な技術を必要とせずに屋内の住環境を良くすることができる。【選択図】図４
0003202480.tif 000002
【実用新案登録請求の範囲】
【請求項１】
パネル本体（２）と、
該パネル本体（２）の少なくとも一方の面に形成されたコーティング層（３）と、を具備したパネルであって、
前記コーティング層（３）は、スクリーン印刷により、珪藻土とチタンアパタイトを備えたコーティング材を前記パネル本体（２）に塗布することで形成したことを特徴とするパネル。
【請求項２】
前記コーティング層（３）は、珪藻土とチタンアパタイトを混ぜるとともに水又は接着剤で溶いて製造した粘性を有するコーティング材を、パネル本体（２）に塗布することで形成したことを特徴とする請求項１に記載のパネル。
【請求項３】
前記コーティング層（３）は、珪藻土とチタンアパタイトを塗料に混入して製造したコーティング材をパネル本体（２）に塗布することで形成したことを特徴とする請求項１に記載のパネル。
【考案の詳細な説明】
【技術分野】
【０００１】
本考案は屋内の壁、天井に備えられるパネルに係り、より詳しくは、スクリーンン刷によって表面に珪藻土とチタンアパタイトを備えたことを特徴とするパネルに関する。
【背景技術】
【０００２】
周知のように、建造物における壁や天井の内装は、下地に壁紙を貼着することにより行われ、これにより、下地の保護を行うが、このとき、壁紙の色や模様を好みのものにすることにより、室内の装飾を行い、室内における住環境を良くすることが行われている。また、室内における湿度の調節、消臭、殺菌を行うために、除湿材、消臭剤、芳香剤あるいは空気清浄機を室内に配置したり、観葉植物を置くことが行われている。更に、珪藻土、ゼオライト等の調湿建材を用いて壁の下地を形成することで、室内の除湿等を行うことも試みられている。
【０００３】
しかし、壁紙の色や模様を好みのものに選択するのみでは視覚に訴える住環境が向上するのみである。また、室内に除湿材、消臭剤、芳香剤あるいは空気清浄機を置いた場合は、その交換やメンテナンスが面倒であり、更に観葉植物を置いた場合には世話が大変であるばかりか、逆に室内が汚れてしまうという問題点が考えられる。更に、調湿建材を用いて壁等の下地を形成する場合には、新築家屋の場合は別だが、それ以外の場合には、壁を施工しなおす必要があるため、施工が大掛かりになってしまうという問題点が考えられる。
【０００４】
この点、本考案者は過去に、珪藻土と光触媒を混ぜ合わせて製造したコーティング材を壁紙本体の一方の面に塗布してコーティング層を形成した壁紙を提案しており、これにより、面倒な施工を行うことなく室内における住環境を良くすることができる効果を得ることが可能となったが、その一方、この方法では、室内の壁全域に壁紙を貼着しなければならないため、作業が面倒であり、更に、専門業者でなければきれいに貼ることはできないという問題点が指摘されていた。
【０００５】
そのために、本考案者は更に、上記のような問題点を解決するために、珪藻土とチタンアパタイトを備えたコーティング層を表面に具備したパネルを提案した。即ち、吸放湿効果、分解消臭効果、抗酸化作用等を有し、生活臭や有害物質を吸着、脱臭する働きがある珪藻土と、埃、菌、有害物質、花粉などを吸着して、光エネルギーを吸収することで強い酸化分解力を持つチタンアパタイトを備えたパネルでは、珪藻土の吸放湿効果、分解消臭効果、抗酸化作用等によって室内の調湿、消臭等を行うことが可能であるとともに、チタンアパタイトの作用によって、パネルに吸着した汚れ、ウイルス、花粉などを水と二酸化炭素に完全に分解することが可能であり、更に、壁や天井に係止するのみで壁や天井に備えることができるので、下地材や壁紙と異なり、専門的な技術を必要とすること無く、容易に屋内の住環境を良くすることが可能である。
【先行技術文献】
【特許文献】
【０００６】
【特許文献１】実用新案登録第３１９９６５９号公報
【特許文献２】実用新案登録第３１８６１４２号公報
【特許文献３】特開２００９−０５２３７６号公報
【特許文献４】特開２００８−０３８３０７号公報
【特許文献５】特開２００６−３４８４３０号公報
【特許文献６】特開２００３−２３９１９９号公報
【特許文献７】特開２００３−００３３８２号公報
【特許文献８】特開２００３−００３３８１号公報
【特許文献９】特開２００２−１５４１７８号公報
【考案の概要】
【考案が解決しようとする課題】
【０００７】
ところで、前述のパネルにおいてコーティング層を具備するためには、珪藻土とチタンアパタイトを混ぜて製造した紙をパネル本体の表面に貼着する方法や、珪藻土とチタンアパタイトを混ぜたものをパネル本体の表面に塗布する方法が考えられるが、いずれの方法を採用するにしても、専門的な技術が必要で、素人が容易に行うことは困難である。
【０００８】
即ち、珪藻土とチタンアパタイトを混ぜて製造した紙をパネル本体の表面に貼着する方法では、壁紙を室内の壁に貼着する場合と同様に、きれいに貼ることはできないという問題点が指摘できる。また、珪藻土とチタンアパタイトを混ぜたものをパネル本体の表面に塗布する方法でも、珪藻土とチタンアパタイトを混ぜたものを、パネル本体の表面に均一に塗布することは素人には困難であり、そのため、見栄えが悪いパネルになってしまうおそれが十分に考えられる。
【０００９】
そこで、本考案は、面倒な作業を経ることなく、容易にかつ見栄え良く製造可能な、珪藻土とチタンアパタイトを備えたコーティング層を具備したパネルを提供することを課題としている。
【課題を解決するための手段】
【００１０】
本考案のパネルは、屋内の壁や天井に備えられるパネルであって、
パネル本体と、
該パネル本体の少なくとも一方の面に形成されたコーティング層と、を具備したパネルであって、
前記コーティング層は、スクリーン印刷により、珪藻土とチタンアパタイトを備えたコーティング材をパネル本体に塗布することで形成したことを特徴としている。
【考案の効果】
【００１１】
周知の通り、珪藻土は８００万年前の植物性プランクトン（珪藻）が化石化したものであり、従来から、火に強い土として珪藻土が知られ、七輪、コンロ、耐火性レンガの原料として用いられているが、耐火性の他に、吸放湿効果、分解消臭効果、抗酸化作用等を有しており、生活臭や有害物質を吸着、脱臭する働きがあることも知られている。また、チタンアパタイトは、アパタイト結晶中に酸化チタンを導入したもので、有機物を確実に吸着するアパタイトの機能と、吸着した有機物を水と二酸化炭素に完全に酸化分解する酸化チタンの機能とを併せ持ち、埃、菌、有害物質、花粉などを吸着して、光エネルギーを吸収することで強い酸化分解力を持ち、吸着した汚れ、ウイルス、花粉などを水と二酸化炭素に完全に分解することが可能である。
【００１２】
そのため、珪藻土とチタンアパタイトを備えたコーティング層をパネル本体に形成している本考案のパネルでは、珪藻土とチタンアパタイトの双方の効果を発揮することができる。即ち、珪藻土の吸放湿効果、分解消臭効果、抗酸化作用等によって室内の調湿、消臭等を行うことが可能であるとともに、チタンアパタイトの作用によって、パネルに付着した埃、菌、有害物質、花粉等を分解し、屋内における住環境を良くすることが可能となる。
【００１３】
また、本考案はパネルであり、これを壁や天井に係止するのみで壁や天井に備えることができるので、下地材や壁紙と異なり、壁や天井に備える際には面倒な作業や専門的な技術が不要であり、容易に屋内の住環境を良くすることが可能である。
【００１４】
そして、本考案のコーティング層は、スクリーン印刷により形成しているために、特に専門的な技術を必要とすることなく、容易に、かつ均一な膜厚で、珪藻土とチタンアパタイトをパネル本体に塗布することが可能である。
【図面の簡単な説明】
【００１５】
【図１】本考案のパネルの実施例の断面構造を示した図である。
【図２】本考案のパネルの実施例の使用方法を説明するための図である。
【図３】本考案のパネルの実施例の使用方法を説明するための図である。
【図４】本考案のパネルの実施例におけるコーティング層を形成する方法を説明するための図である。
【考案を実施するための形態】
【００１６】
本考案のパネルでは、発泡スチロール、厚紙等の素材よりなるパネル本体を有しており、このパネル本体の一方の面、又は一方及び他方の面には、コーティング層が形成されている。
【００１７】
そして、パネル本体に形成されているコーティング層は、珪藻土とチタンアパタイトを備えたものとしており、スクリーン印刷により形成されている。即ち、スクリーン印刷によって、珪藻土とチタンアパタイトを備えたコーティング材を、パネル本体に塗布することで、パネル本体にコーティング層が形成されている。
【００１８】
ここで、粉状にした珪藻土とチタンアパタイトの粉を混ぜるとともに、この混ぜたものを水又は接着剤で溶いて粘性を持たせたものを用いて、これをスクリーン印刷によってパネル本体に塗布するか、あるいは、珪藻土とチタンアパタイトを混入した塗料を用いて、これをスクリーン印刷によってパネル本体に塗布することで、コーティング層を形成するとよく、これにより、珪藻土とチタンアパタイトを確実にパネル本体に塗布することが可能である。
【実施例１】
【００１９】
本考案のパネルの実施例について図面を参照して説明すると、図１は、本実施例のパネルの断面構造を示す図であり、横断平面構造を示している。そして、図において１が本実施例のパネルであり、本実施例のパネル１は、室内の壁や天井に備えられるパネルとしている。
【００２０】
そして、本実施例のパネル１は、パネル本体を有している。即ち、図において２がパネル本体であり、本実施例において前記パネル本体２は、発泡スチロール製としており、長方形状としている。但し、パネル本体の形状は必ずしも長方形状にする必要は無く、その他、正方形状、円形状、三角形状、多角形状等、いずれの形状にしても良い。また、必ずしも発泡スチロール製にする必要は無く、その他、厚紙や、木製、金属製の板によってパネル本体２を形成しても良い。
【００２１】
次に、図において３はコーティング層である。即ち、本実施例のパネル１では、珪藻土とチタンアパタイトを備えたコーティング層３を前記パネル本体２の一方の面に形成しており、このコーティング層３の存在により、室内の調湿、消臭等を行うとともに、室内等に浮遊する埃、菌、有害物質等の有機物を吸着して分解し、室内の住環境を良いものにしている。
【００２２】
即ち前述したように、珪藻土は８００万年前の植物性プランクトン（珪藻）が化石化したものであり、耐火性を有しているとともに、吸湿機能が大きく自律的に呼吸するために半永久的に調湿機能を発揮することができる。また、生活臭や有害物質を吸着、脱臭する働きがあり、化学物質や悪臭物質を分解することができる。更に、珪藻土は抗酸化作用を有しており、周囲の湿気を「高い抗酸化作用を持つ湿気」に変えて老化や病気の元である活性酸素をほとんど無くすとともに、化学物質や静電気などのプラスイオンを中和、除去し、その結果、人や犬、猫などのペット、植物の健康にとって欠かせない「自然界のマイナスイオン優位の空気」を作り出す。そして、このマイナスイオン優位の空気により、免疫力の向上、生体機能の正常化、リラックス効果などを得ることができる。
【００２３】
一方、チタンアパタイトは、周知のように、富士通研究所と東京大学先端科学技術研究センターの共同研究で開発されたもので、アパタイト結晶中に酸化チタンを導入して製造され、有機物を確実に吸着するアパタイトの機能と、吸着した有機物を水と二酸化炭素にまで完全に酸化分解する酸化チタンの効果を併せ持つものである。そのために、埃、菌、有害物質、花粉などを吸着して、光エネルギーを吸収することで強い酸化分解力を持ち、吸着した汚れ、ウイルス、花粉などを水と二酸化炭素に完全に分解することが可能である。
【００２４】
従って、珪藻土とチタンアパタイトを備えたコーティング層３を具備した本実施例のパネル１では、珪藻土とチタンアパタイトの双方の効果を発揮することができる。即ち、室内の調湿、消臭、生活臭や有害物質の吸着分解を行うことが可能であるとともに、自然界のマイナスイオン優位の空気を作り出し、更に、室内を浮遊してパネル１に付着した埃、菌、有害物質、花粉等を酸化分解し、室内の住環境を良いものにすることができる。なお、コーティング層３は必ずしもパネル本体２の一方の面にのみ形成する必要はなく、一方及び他方の面の双方に形成しても良い。
【００２５】
ここで、前記コーティング層３について説明すると、本実施例において前記コーティング層３は、スクリーン印刷により形成されている。即ち、本実施例において前記コーティング層３は、珪藻土とチタンアパタイトを混ぜて製造したコーティング材を、スクリーン印刷によってパネル本体２に塗布することで形成している。
【００２６】
この方法について図を参照して説明すると、図４はこのスクリーン印刷の方法を説明するための図であり、図において１０が、スクリーン印刷を行う作業台である。そして、前記作業台１０の上には、ポリエステル等の合成繊維やステンレスなどの金属繊維で織った、コーティング材を通過可能なスクリーン８が可動自在に備えられている。また、スクリーン８の上方には、略円柱形状のローラー９が移動自在に備えられている。
【００２７】
そして、パネル本体２にコーティング層３を形成する際には、前記作業台１０上にパネル本体２を固定し、固定したパネル本体２の上側に前記スクリーン８を重ね合わせる。そしてその状態で、前記ローラー９にコーティング材を付着させた後に、ローラー９をスクリーン８に当接するとともに、当接させた状態でスクリーン８上を移動する。そしてこれにより、パネル本体２にコーティング材を塗布し、コーティング層３を形成する。
【００２８】
このように、本実施例のパネル１では、スクリーン印刷によりコーティング層を形成しているために、特に専門的な技術を必要とすることなく、容易に、かつ均一な膜厚でコーティング層３を形成することが可能である。
【００２９】
なお、パネル本体２に塗布するコーティング材は、珪藻土とチタンアパタイトを備えており、なおかつパネル本体２に塗布可能な形態であればいずれの形態でもよい。従って例えば、珪藻土の粉とチタンアパタイトの粉を混ぜ合わせ、その混ぜ合わせたものを水や接着剤で溶いて粘性を持たせたものや、珪藻土の粉を水や接着剤で溶いて粘性を持たせたものとチタンアパタイトの粉を水や接着剤で溶いて粘性を持たせたものを混ぜ合わせたもの、あるいは、珪藻土とチタンアパタイトを混入した塗料を、コーティング材として用いるとよく、これにより確実にパネル本体２にコーティング層３を形成することが可能である。
【００３０】
また、パネル本体２にコーティング材を、スクリーン印刷で塗布するに際しては、前記パネル本体２の表面に細かい傷を多数形成して表面を粗くしておくとよく、これにより、コーティング材の接着性を高めることができる。
【００３１】
そして、珪藻土の粉とチタンアパタイトの粉を混ぜて水や接着剤で溶いて粘性を持たせて製造したコーティング材を用いる場合、珪藻土の粉を水や接着剤で溶いて粘性を持たせたものとチタンアパタイトの粉を水や接着剤で溶いて粘性を持たせたものを混ぜ合わせて製造したコーティング材を用いる場合、珪藻土とチタンアパタイトを塗料に混入して製造したコーティング材を用いる場合のいずれも、前述の場合と同様に、前記パネル本体２の表面に細かい傷を多数形成して表面を粗くして、これにより、コーティング材の接着性を高めても良く、あるいは、パネル本体２の表面に細かい傷を形成することなく、パネル本体２にコーティング材を塗布しても良い。
【００３２】
次に、このように構成される本実施例のパネルの作用について説明すると、本実施例のパネル１は室内の壁の一部に係止されて使用される。即ち、図２が本実施例のパネル１を室内の壁５に係止した状態を示しており、図２においては、室内の壁５に隣り合う配置で４枚のパネル１を係止している。そうすると、パネル本体２の表面に備えたコーティング層３に備えた珪藻土とチタンアパタイトにより、室内の調湿、消臭等を行うことが可能であるとともに、室内を浮遊してパネル１に付着した埃、菌、有害物質、花粉等が酸化分解され、それにより、室内の住環境を良いものにすることができる。
【００３３】
なお、図３は本実施例のパネル１を壁５に係止する方法を示した図であり、図において６は係止具である。即ち、図３に示す係止具６は、１〜数センチ程度の幅で係止するパネルの上下方向の寸法に対応した長さの長尺状としており、長手方向に沿った両側に、前記パネル１の端部が嵌入する嵌入溝７を有している。そして、この係止具６をネジや接着剤やテープによって壁５に固定した後に、嵌入溝７内にパネル１の端部を嵌入する。そうすると、壁５に本実施例のパネル１を係止することが可能となる。
【００３４】
従って、本実施例のパネル１では、特に面倒な作業や専門的な技術を必要とすることなく、これを壁や天井に係止することができ、容易に屋内の住環境を良くすることが可能である。
【００３５】
但し、必ずしも図３に示す係止具を用いて本実施例のパネル１を壁４に係止する必要は無く、一般的にパネルや額縁を壁等に係止する場合と同様に、係止紐、チェーン等の係止部材を用いて、本実施例のパネル１を壁に吊るしても良い。
【００３６】
このように、本実施例のパネルでは、珪藻土とチタンアパタイトを備えたコーティング層３をパネル本体の表面に形成しているために、室内の調湿、消臭等を行うことが可能であるとともに、室内を浮遊してパネル１に付着した埃、菌、有害物質、花粉等を酸化分解し、室内の住環境を良いものにすることができる。
【００３７】
また、本実施例のパネルでは、これを壁や天井に係止するのみで良いので、下地材や壁紙と異なり、面倒な作業や専門的な技術が不要であり、容易に室内の住環境を良くすることが可能である。
【００３８】
更に、本実施例において前記のチタンアパタイト層は、スクリーン印刷により形成しているために、特に専門的な技術を必要とすることなく、容易に、かつ均一な膜厚で製造することが可能である。
【００３９】
なお、珪藻土やチタンアパタイトを用いて室内の住環境を良くするためには、壁、天井の面積の１／３程度に珪藻土やチタンアパタイトを備えれば良いと言われているため、壁や天井の全てに珪藻土やチタンアパタイトを備える必要は無いが、下地材や壁紙を用いて珪藻土やチタンアパタイトを壁や天井に備えた場合は、壁や天井の全域に下地材や壁紙を備えなければならずに費用も上がってしまう。しかし、本実施例のパネルでは、下地材と異なり、壁や天井の任意の箇所にのみ係止することができるので、費用を抑えることも可能である。
【００４０】
また、スクリーン印刷によってコーティング層３を形成するに際しては、パネル本体２の全面にコーティング材を塗布すること無く、前記スクリーン８に塗布パターンを形成し、パネル本体２の一部にコーティング材を塗布し、その他の部分に着色を施して模様等にしてもよい。
【産業上の利用可能性】
【００４１】
本考案のパネルでは、珪藻土とチタンアパタイトを備えたコーティング層をパネル本体の表面に形成したパネルにおいて、コーティング層をスクリーン印刷によって形成しているため、珪藻土とチタンアパタトを備えたコーティング層を具備するパネルの全般に適用可能である。
【符号の説明】
【００４２】
１    パネル
２    パネル本体
３    コーティング層
４    糊
５    壁
６    係止具
７    嵌入溝
８    スクリーン
９    ローラー
１０    作業台
【図１】
0003202480.tif 000003
【図２】
0003202480.tif 000004
【図３】
0003202480.tif 000005
【図４】
0003202480.tif 000006